(57)【要約】【課題】報知音の音質あるいは音の大きさの低下を抑制することができる画像形成装置を提供する。【解決手段】記録媒体上に画像を形成する画像形成部の上方で原稿を読み取る画像読取部と、画像読取部を支持する支柱部に配置された発音手段と、画像形成部と画像読取部との間に形成される胴内空間の操作者側を覆い、発音手段に面して開口し発せられた音が通過する入音孔と画像読取部側に面して開口し発せられた音が通過する放音孔を繋ぐように形成され、発音手段から装置本体の外に発せられた音を通して装置本体の操作者側に向って音を導出する導出路を有する覆い部材と、を備えた。【選択図】図５
2018004782.tif 000002
【特許請求の範囲】
【請求項１】
発音手段と、
前記発音手段から装置本体の外に発せられた音を通して前記装置本体の操作者側に向って前記音を導出する導出路を有する覆い部材と、を備えた、
ことを特徴とする画像形成装置。
【請求項２】
記録媒体上に画像を形成する画像形成部の上方で原稿を読み取る画像読取部を備え、
前記発音手段は前記画像読取部を支持する支柱部に配置され、前記覆い部材は前記画像形成部と前記画像読取部との間に形成される胴内空間の前記操作者側を覆う、
ことを特徴とする請求項１に記載の画像形成装置。
【請求項３】
前記胴内空間には画像が形成された前記記録媒体に後処理を行う後処理装置を取り付けることが可能で、前記後処理装置を取り付けた場合、前記覆い部材は前記後処理装置を覆う外装部材の一部となる、
ことを特徴とする請求項２に記載の画像形成装置。
【請求項４】
前記導出路は、前記発音手段に面して開口し発せられた音が通過する入音孔と前記画像読取部側に面して開口し発せられた音が通過する放音孔とを繋ぐように形成されている、
ことを特徴とする請求項２に記載の画像形成装置。
【請求項５】
前記導出路は、前記発音手段に面して開口し発せられた音が通過する入音孔と前記胴内空間の前記記録媒体排出方向に面して開口し発せられた音が通過する放音孔とを繋ぐように形成されている、
ことを特徴とする請求項２に記載の画像形成装置。
【請求項６】
記録媒体上に画像を形成する画像形成部の上方で原稿を読み取る画像読取部を備え、
前記発音手段は前記画像読取部に対する操作者側に配置され、前記覆い部材は前記発音手段の前方向に配置される、
ことを特徴とする請求項１に記載の画像形成装置。
【請求項７】
前記導出路は、前記発音手段に面して開口し発せられた音が通過する入音孔と読み取られた前記原稿の搬送方向に面して開口し発せられた音が通過する放音孔とを繋ぐように形成されている、
ことを特徴とする請求項６に記載の画像形成装置。
【請求項８】
前記導出路は、音が通過する断面積が前記入音孔から前記放音孔に向かって漸次拡大している、
ことを特徴とする請求項１ないし７のいずれか１項に記載の画像形成装置。
【請求項９】
前記導出路は、前記入音孔から前記放音孔に向って案内部材によって区画されて形成されている、
ことを特徴とする請求項１ないし８のいずれか１項に記載の画像形成装置。
【発明の詳細な説明】
【技術分野】
【０００１】
本発明は、画像形成装置に関する。
【背景技術】
【０００２】
スピーカーユニットの前面から放射される高周波とスピーカーユニットの背面から放射される低周波を空間的に分離するエンクロージャを備えたスピーカーユニットが装置本体の外装カバーの内側に配置されている画像形成装置が知られている（特許文献１）。
【０００３】
装置本体の上段に設け、セットした読取り原稿に沿って走査してその原稿面上の画像情報を読み取るスキャナ部と、装置本体の下段に設け、そのスキャナ部で読み取った画像情報を用紙に記録する画像形成部と、装置本体の中段に設け、その画像形成部で画像情報記録後の用紙を排出してスタックする胴内排紙部とを備える画像形成装置において、胴内排紙部に向けてＦＡＸ用スピーカを設置してなる、ＦＡＸ機能を付加する画像形成装置も知られている（特許文献２）。
【先行技術文献】
【特許文献】
【０００４】
【特許文献１】特開２０１４−１５７２７２号公報
【特許文献２】特開平１０−３１３３７３号公報
【発明の概要】
【発明が解決しようとする課題】
【０００５】
本発明は、報知音の音質あるいは音の大きさの低下を抑制することができる画像形成装置を提供することを目的とする。
【課題を解決するための手段】
【０００６】
前記課題を解決するために、請求項１に記載の画像形成装置は、
発音手段と、
前記発音手段から装置本体の外に発せられた音を通して前記装置本体の操作者側に向って前記音を導出する導出路を有する覆い部材と、を備えた、
ことを特徴とする。
【０００７】
請求項２記載の発明は、請求項１に記載の画像形成装置において、
記録媒体上に画像を形成する画像形成部の上方で原稿を読み取る画像読取部を備え、
前記発音手段は前記画像読取部を支持する支柱部に配置され、前記覆い部材は前記画像形成部と前記画像読取部との間に形成される胴内空間の前記操作者側を覆う、
ことを特徴とする。
【０００８】
請求項３記載の発明は、請求項２に記載の画像形成装置において、
前記胴内空間には画像が形成された前記記録媒体に後処理を行う後処理装置を取り付けることが可能で、前記後処理装置を取り付けた場合、前記覆い部材は前記後処理装置を覆う外装部材の一部となる、
ことを特徴とする。
【０００９】
請求項４記載の発明は、請求項２に記載の画像形成装置において、
前記導出路は、前記発音手段に面して開口し発せられた音が通過する入音孔と前記画像読取部側に面して開口し発せられた音が通過する放音孔とを繋ぐように形成されている、
ことを特徴とする。
【００１０】
請求項６記載の発明は、請求項２に記載の画像形成装置において、
前記導出路は、前記発音手段に面して開口し発せられた音が通過する入音孔と前記胴内空間の前記記録媒体排出方向に面して開口し発せられた音が通過する放音孔とを繋ぐように形成されている、
ことを特徴とする。
【００１１】
請求項６記載の発明は、請求項１に記載の画像形成装置において、
記録媒体上に画像を形成する画像形成部の上方で原稿を読み取る画像読取部を備え、
前記発音手段は前記画像読取部に対する操作者側に配置され、前記覆い部材は前記発音手段の前方向に配置される、
ことを特徴とする。
【００１２】
請求項７記載の発明は、請求項５に記載の画像形成装置において、
前記導出路は、前記発音手段に面して開口し発せられた音が通過する入音孔と読み取られた前記原稿の搬送方向に面して開口し発せられた音が通過する放音孔とを繋ぐように形成されている、
ことを特徴とする。
【００１３】
請求項８記載の発明は、請求項１ないし６のいずれか１項に記載の画像形成装置において、
前記導出路は、音が通過する断面積が前記入音孔から前記放音孔に向かって漸次拡大している、
ことを特徴とする。
【００１４】
請求項９記載の発明は、請求項１ないし８のいずれか１項に記載の画像形成装置において、
前記導出路は、前記入音孔から前記放音孔に向って案内部材によって区画されて形成されている、
ことを特徴とする。
【発明の効果】
【００１５】
本発明によれば、報知音の音質あるいは音の大きさの低下を抑制することができる。
【図面の簡単な説明】
【００１６】
【図１】第１実施形態に係る画像形成装置の主要部を示す外観正面図である。
【図２】画像形成部の内部構成を示す断面構成図である。
【図３】（ａ）は画像読取部の下方に視点をおいて胴内空間の近傍を後処理装置を除いて示す斜視図、（ｂ）は画像形成装置の支持部の外装部材を除外して示す斜視図である。
【図４】前カバーを開放した後処理装置を示す斜視図である。
【図５】前カバーに形成された導出路と音の通過を示す斜視図である。
【図６】前カバーに形成された他の態様の導出路と音の通過を示す斜視図である
【図７】変形例に係る前カバーに形成された導出路を示す斜視図である。
【図８】変形例に係る前カバーに形成された他の導出路を示す斜視図である。
【図９】第２実施形態に係る画像形成装置の前カバーを不図示にしてスピーカの配置位置を示す斜視図である。
【図１０】前カバー内の導出路における音の通過を説明する部分断面斜視図である。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１８】
「第１実施形態」
（１）画像形成装置の全体構成及び動作
図１は本実施形態に係る画像形成装置１の主要部を示す外観正面図、図２は画像形成装置１の内部構成を示す断面模式図である。
以下、図面を参照しながら、画像形成装置１の全体構成及び動作を説明する。
【００１９】
（１．１）全体構成
画像形成装置１は、電子写真方式によって画像を形成する画像形成部２と、原稿等の読み取りを行う画像読取部３が支持部４によって画像形成部２の上方に支持されて構成されている。
画像形成部２と画像読取部３との間には胴内空間Ｓが形成され、第１排出ローラ対６３及び第２排出ローラ対６４（図２参照）から排出される用紙Ｐをに綴じ処理等を施す後処理装置２００が設置されている。
【００２０】
画像形成部２は、筐体Ｆ（不図示）が形成する内部空間に、制御装置１０、給紙装置２０、感光体ユニット３０、現像装置４０、転写装置５０、定着装置６０が配置され、筐体Ｆ（不図示）は分割された複数の外装部材５で覆われて構成されている。
【００２１】
画像形成部２と画像読取部３との間の胴内空間Ｓは、後処理装置２００が有する外装部材の一部としての前カバー２３０で覆われ、後処理装置２００の本体部は操作者に対して隠蔽されている。
【００２２】
画像読取部３の前面側には、ユーザーインターフェイスとしての操作情報部７０が配置されている。操作情報部７０は、液晶表示パネル、各種操作ボタン、タッチパネル等を組み合わせて構成され、画像形成装置１の使用者は、操作情報部７０を介して各種の設定や指示の入力を行う。また、液晶表示パネルを介して画像形成装置１の使用者へ各種情報を表示する。
【００２３】
（１．２）画像形成部
制御装置１０は、画像形成装置１の動作を制御する画像形成装置制御部１１と、印刷処理要求に応じた画像データを準備するコントローラ部１２、電源装置１３等を有する。
【００２４】
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００２５】
感光体ユニット３０は、給紙装置２０の上方（Ｚ方向）に、それぞれが並列して設けられ、回転駆動する像保持体としての感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２６】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２７】
転写装置５０においてトナー像が一括転写された用紙Ｐは、トナー像が未定着の状態で搬送ガイドを経由して定着装置６０に搬送され、一対の定着ローラ６１と加圧ローラ６２により、圧着と加熱の作用でトナー像が定着される。
定着トナー像が形成された用紙Ｐは、搬送ガイドによってガイドされ、第１排出ローラ対６３、第２排出ローラ対６４から胴内空間Ｓ内に配置された後処理装置２００に送り出され、所定の後処理を施された後、排紙トレイＴ上に排出される。
【００２８】
（２）スピーカの配置と放音
図３（ａ）は画像読取部３の下方に視点をおいて胴内空間Ｓの近傍を後処理装置２００を除いて示す斜視図、（ｂ）は画像形成装置１の支持部４の外装部材５を除外して示す斜視図、図４は前カバー２３０を開放した後処理装置２００を示す斜視図、図５は前カバー２３０に形成された導出路２４０と音の通過を示す斜視図、図６は前カバー２３０に形成された他の導出路２４０と音の通過を示す斜視図である。
以下図面を参照しながら、画像形成装置１におけるスピーカ７の配置と放音について説明する。
【００２９】
（２．１）胴内空間
画像形成装置１は、側部を画像読取部３の支持部４と、第１排出ローラ対６３、第２排出ローラ対６４が画像形成部２の外側に露出した用紙排出部を覆う外装部材６で、底部を画像形成部２の排紙トレイＴ１で、上部を画像読取部３の下部３ａで、奥部を背面側板１０１で構成して、前部が操作者側に開口した胴内空間Ｓを区画している。
【００３０】
（２．２）スピーカ
支持部４の操作者側には、胴内空間Ｓに向って開口する外装部材５が設けられている。外装部材５は、支持部４を構成する支柱１００を覆い、内面から外面に貫通する複数の放音孔５ａを有する。放音孔５ａは、外装部材５の内面側で支柱１００に固定されて配置された発音手段としてのスピーカ７から音出力される報知音を効果的に通過させるために、スピーカ口径に対して５０％以上の開口率で形成されていることが望ましい。
【００３１】
図３（ｂ）に示すように、スピーカ７は、画像読取部３の一端側を操作者側で支持する支柱１００に胴内空間Ｓ側に向って配置されている。
スピーカ７は、一例として振動板７ａが半径２０ｍｍ程度の小口径のスピーカユニットであり、制御装置１０によって動作制御され、振動板７ａの裏面から発せられる音によって、操作者に異常報知やジョブ終了報知、操作のための音声ガイドなどを行う。
異常報知の例としては、画像読取部３の原稿送り装置における原稿詰まりやミスフィード、給紙装置２０における用紙Ｐの紙詰まりやミスフィード、画像形成部２や制御装置１０のハードウェアダウンなどがある。
【００３２】
（２．３）後処理装置
後処理装置２００は、図４に示すように、本体部２１０と、排紙積載部２２０と、前カバー２３０と、からなり、胴内空間Ｓ内で排紙トレイＴ１の上面に載置された状態で、操作者側に開閉可能な前カバー２３０が後処理装置２００の本体部を操作者に対して隠蔽するように胴内空間Ｓを塞いでいる。
【００３３】
前カバー２３０は、図５に示すように、全体が矩形状で内面２３０ａにはスピーカ７から音出力される報知音を通して装置本体の外部に向かって導く導出路２４０が形成されている。
【００３４】
前カバー２３０が閉じられた状態で、外装部材５に設けられた放音孔５ａに面する側面２３０ｂには、報知音が通過する入音孔２３１が複数設けられ、前カバー２３０の画像読取部３側に面する他の側面２３０ｃには、報知音が通過する放音孔２３２が複数設けられている。
【００３５】
入音孔２３１と放音孔２３２は、内面２３０ａから立設するリブ２３３、２３４と、これを覆う蓋体２３５で区画された導出路２４０で連通し、音が通過する断面積が入音孔２３１から放音孔２３２に向かって漸次拡大している（図５中  Ｗ２＞Ｗ１）。
【００３６】
導出路２４０は、図６に示すように、それぞれの入音孔２３１と放音孔２３２とを区画して繋ぐように複数のリブ２３３で形成されてもよい（図６には、複数のリブを一部省略して示している）。
区画された導出路２４０とすることで、スピーカ７からの音出力の音質や音の大きさの低下をより抑制することができる。
【００３７】
その結果、後処理装置２００の前カバー２３０が支持部４の操作者側で胴内空間Ｓ側に面した外装部材５を覆う意匠面を形成して良好な外観品位を保ちながら、スピーカ７から音出力される報知音は、前カバー２３０内に形成された導出路２４０を増幅されながら通過して放音孔２３２から放音され（図５、図６中  矢印参照）、操作者に確実に報知される。
【００３８】
「変形例」
図７は変形例に係る前カバー２３０Ａに形成された導出路２４０Ａを示す斜視図、図８は変形例に係る前カバー２３０Ａに形成された他の導出路２４０Ｂを示す斜視図である。
前カバー２３０Ａは、図７に示すように、内面２３０ａにスピーカ７から音出力される報知音を装置本体の外部に向かって導く導出路２４０Ａが形成されている。
【００３９】
前カバー２３０Ａが閉じられた状態で、外装部材５に設けられた放音孔５ａに面する側面２３０ｂには、報知音が通過する入音孔２３１が複数設けられ、側面２３０ｂと相対する他の側面２３０ｄには胴内空間Ｓの記録媒体排出方向に面して開口する放音孔２３２が複数設けられている。
【００４０】
入音孔２３１と放音孔２３２は、内面２３０ａから立設するリブ２３３Ａ、２３４Ａと、これを覆う蓋体２３５Ａで区画された導出路２４０Ａで連通している。
また、図８に示すように、導出路２４０Ｂとして、音が通過する断面積が入音孔２３１から放音孔２３２に向かって漸次拡大するように形成してもよい（図８中  Ｗ２＞Ｗ１）。  
【００４１】
その結果、スピーカ７から音出力される報知音は、前カバー２３０Ａ内に形成された導出路２４０Ａを通過して記録媒体排出方向に面して開口する放音孔２３２から放音され、操作者に確実に報知される。
【００４２】
「第２実施形態」
（１）スピーカの配置と放音
図９は画像形成装置１Ａの前カバー３００を不図示にしてスピーカ７の配置位置を示す斜視図、図１０は前カバー３００内の導出路３１０における音の通過を説明する部分断面斜視図である。
以下、図面を参照しながら、画像形成装置１Ａにおけるスピーカ７の配置と放音について説明する。尚、第１実施形態に係る画像形成装置１と共通の構成要素には、同一の符号を付し、その詳細な説明は省略する。
【００４３】
図９に示すように、画像形成装置１Ａは、発音手段としてのスピーカ７が、画像読取部３から操作者側に突出して設けられた前カバー３００の後面側で操作者側に向って配置されている。
【００４４】
前カバー３００は、図１０に示すように、全体が箱形状で、画像形成部２の操作者側前面を覆う外部部材８とスピーカ７が配置された画像読取部３の操作者側前面とで区画される空間を塞ぐように配置され、内部にはスピーカ７から音出力される報知音を通して装置本体の外部に向かって導く導出路３１０が形成されている。
【００４５】
スピーカ７に面する側面３００ａには、報知音が通過する入音孔３１１が複数設けられ、前カバー３００の操作者側の側面３００ｂには、報知音が通過する放音孔３１２が複数設けられている。
【００４６】
入音孔３１１と放音孔３１２は、リブ３１３、３１４と、これを覆う蓋体３１５で区画された導出路３１０で連通し、音が通過する断面積が入音孔３１１から放音孔３１２に向かって漸次拡大している。
【００４７】
その結果、画像形成部２の操作者側上部と画像読取部３の操作者側前面とで区画される空間を覆う意匠面を形成して良好な外観品位を保ちながら、スピーカ７から音出力される報知音は、前カバー３００内に形成された導出路３１０を増幅されながら通過して放音孔３１２から放音され、操作者に確実に報知される。
【００４８】
第１実施形態及び第２実施形態においては、発音手段としてスピーカが配置された画像形成装置１、１Ａについて説明したが、発音手段としてブザーを用いて異常報知やジョブ終了報知を行ってもよい。
【符号の説明】
【００４９】
１、１Ａ・・・画像形成装置
２・・・画像形成部
３・・・画像読取部
４・・・支持部
５、６、８・・・外装部材
７・・・スピーカ
１０・・・制御装置
２０・・・給紙装置
３０・・・感光体ユニット
４０・・・現像装置
５０・・・転写装置
６０・・・定着装置
７０・・・操作情報部  
１００・・・支柱
２００・・・後処理装置
２１０・・・本体部
２２０・・・用紙積載部
２３０、２３０Ａ、２３０Ｂ、３００・・・前カバー
２３１・・・入音孔
２３２・・・放音孔
２３３、２３３Ａ、２３４、２３４Ａ・・・リブ
２３５、２３５Ａ、２３５Ｂ、３１５・・・蓋体
２４０、２４０Ａ、２４０Ｂ、３１０・・・導出路
Ｓ・・・胴内空間
【図１】
2018004782.tif 000003
【図２】
2018004782.tif 000004
【図３】
2018004782.tif 000005
【図４】
2018004782.tif 000006
【図５】
2018004782.tif 000007
【図６】
2018004782.tif 000008
【図７】
2018004782.tif 000009
【図８】
2018004782.tif 000010
【図９】
2018004782.tif 000011
【図１０】
2018004782.tif 000012